(57)【要約】【課題】人体の背中、腰、大腿部にかけての屈曲箇所と、背ボトムの回転中心位置とを合わせることで、特に背上げによって、背ボトムから身体を圧迫することのないようにする。【解決手段】ベッド装置における背ボトム２を配置した可動フレーム３を、メインフレーム４に併設した案内枠５に沿って移動自在に保持した背部基部フレーム６に、背部基部フレーム６に沿って移動可能に装着し、前記背部基部フレーム６を、直動駆動機構７と、一端を前記メインフレーム４に回動可能に取り付ける一方、他端を背部基部フレーム６の基端側寄りの箇所に回動可能に取り付けたステー８によって傾斜調節可能に構成し、前記背部基部フレーム６の傾斜動作と共に、可動フレーム３の基端側と前記メインフレーム４との間に張設した線状部材１７により、引張ばね１０の付勢力に抗して前記可動フレーム３を背部基部フレーム６先端側に突出可能に構成する。【選択図】              図３
2004208795.tif 000002
【特許請求の範囲】
【請求項１】
ベッド装置における背ボトムを配置した可動フレームと、可動フレームを長手方向に移動可能に支持する背部基部フレームと、この背部基部フレームを起伏調節する起伏手段とを備え、この起伏手段による背部基部フレームの起伏動作に伴って前記可動フレームをボトム長手方向に進退変位させる連動構成としたことを特徴とするベッド装置における背上げ機構。
【請求項２】
前記背部基部フレームは基端側をメインフレームに沿って移動可能に支持し、前記起伏手段は、メインフレームと背部基部フレーム基端側近傍とに介在した直動駆動機構と、一端を前記メインフレームに回動可能に取り付けると共に他端を前記背部基部フレームの基端側寄りの箇所に回動可能に取り付けたステーとを備え、前記直動駆動機構の引き込み動作により、背部基部フレームの基端側をベッド頭側に変位させつつ背部基部フレームを傾斜させる構成としたことを特徴とする請求項１記載のベッド装置における背上げ機構。
【請求項３】
前記可動フレームと背部基部フレーム先端部との間に、可動フレームを背部基部フレーム基端側に常時引き込むように付勢する引張ばねを配設し、前記可動フレームの基端側と前記メインフレームとの間に、前記背部基部フレームに設けた案内プーリを介して線状部材を張設したことを特徴とする請求項１記載のベッド装置における背上げ機構。
【発明の詳細な説明】
【０００１】
【発明の属する技術分野】
本発明は、背上げ機能を有するベッドにおいて、人体の背中、腰、大腿部にかけての屈曲箇所と、背ボトムの回転中心位置とを合わせることで、特に背上げによって、背ボトムから身体を圧迫することのないようにした、ベッド装置における背上げ機構に関するものである。
【０００２】
【従来の技術】
従来より、ベッドにおいて様々な機構の背上げ機構が製品化されてきている。
かかるベッドでは、多くは、ベッドのボトムを背に対応するボトム（背ボトム）、腰に対応するボトム（腰ボトム）、足に対応するボトム（足ボトム）等に分割すると共に、屈曲可能に順次連結して構成し、背上げ機構によって背ボトムを、腰ボトムとの連結箇所を中心に傾斜させて傾斜調節するように構成している。
このため、背ボトムを傾斜させることで、前記連結箇所が狭まることになり、使用者は、マットレスを通して背ボトムから押し出されるように力を受けて、腹部が圧迫されるようになり、快適性が損なわれているのが現状であった。
そこで、本出願人は、前記屈曲箇所に、適度な曲率で曲がるように構成された湾曲ボトムを配し、背ボトムを、背上げリンクと、傾斜を促進させるリンク等で構成された背上げ機構により傾斜させ、背ボトムの傾斜時における屈曲箇所の空間を確保するようにする一方、背ボトムの傾斜と共に、背ボトムをベッド頭側にずらすようにして、背ボトムの傾斜時における屈曲箇所の空間を確保するようにし、背上げ時に、身体のずれ、身体への圧迫を抑制するようにした背上げ機構を提案してきている（特開２０００−６０９０７号参照）。
かかる背上げ機構によれば、使用者に対する圧迫を軽減することができ、快適性が確保され、構造も単純化することができ、製造コストを抑制することができた。
【０００３】
【発明が解決しようとする課題】
本出願人は、さらに、背上げ時に、身体のずれ、身体への圧迫を抑制するために、人体の背中、腰、大腿部にかけての屈曲箇所と、背ボトムの回転中心位置とを合わせることを目指し、上記機構に背上げ時に背ボトムが背ボトム長手方向に変位させるようにする機構を組合せることで、背上げによるずれ、圧迫を最小限にとどめることができるという観点に至った。
本発明は、かかる観点を基に提案されたものであって、人体の背中、腰、大腿部にかけての屈曲箇所と、背ボトムの回転中心位置とを合わせることで、特に背上げによって、背ボトムから身体を圧迫することのないようにした、ベッド装置における背上げ機構を提供することを目的とする。
【０００４】
【課題を解決するための手段】
前記した課題を解決するために、本発明では、請求項１において、ベッド装置における背ボトムを配置した可動フレームと、可動フレームを長手方向に移動可能に支持する背部基部フレームと、この背部基部フレームを起伏調節する起伏手段とを備え、この起伏手段による背部基部フレームの起伏動作に伴って前記可動フレームをボトム長手方向に進退変位させる連動構成としたベッド装置における背上げ機構を提案する。
また本発明では、請求項２において、前記背部基部フレームは基端側をメインフレームに沿って移動可能に支持し、前記起伏手段は、メインフレームと背部基部フレーム基端側近傍とに介在した直動駆動機構と、一端を前記メインフレームに回動可能に取り付けると共に他端を前記背部基部フレームの基端側寄りの箇所に回動可能に取り付けたステーとを備え、前記直動駆動機構の引き込み動作により、背部基部フレームの基端側をベッド頭側に変位させつつ背部基部フレームを傾斜させる構成としたベッド装置における背上げ機構を提案する。
さらに本発明では、請求項３において、前記可動フレームと背部基部フレーム先端部との間に、可動フレームを背部基部フレーム基端側に常時引き込むように付勢する引張ばねを配設し、前記可動フレームの基端側と前記メインフレームとの間に、前記背部基部フレームに設けた案内プーリを介して線状部材を張設したベッド装置における背上げ機構を提案する。
【０００５】
請求項１によれば、起伏手段による背部基部フレームの起伏動作に伴って可動フレームをボトム長手方向に進退変位させることで、背ボトムから受ける圧迫感を軽減することができる。
【０００６】
請求項２によれば、直動駆動機構の引き込み動作により、背部基部フレームの基端側をベッド頭側に変位させつつ背部基部フレームを傾斜させることで、腰部周囲のスペースを確保することができる。
【０００７】
請求項３によれば、線状部材は、可動フレームと背部基部フレーム先端部との間に配設した引張ばねにより、張設状態を維持し、直動駆動機構による起伏動作に伴って、前記線状部材の拘束下に、可動フレームを前記背部基部フレーム上で進退変位させることができる。
【０００８】
【発明の実施の形態】
以下、本発明にかかるベッド装置における背上げ機構につき、一つの実施の形態を示し、添付の図面に基づいて説明する。
図１にベッド装置における背上げ機構１を示す。この背上げ機構１は、ベッド装置における背ボトム２を配置した可動フレーム３を、基端側をメインフレーム４に併設した案内枠５に沿って移動自在に保持した背部基部フレーム６に、背部基部フレーム６に沿って移動可能に装着し、前記背部基部フレーム６を、直動駆動機構７と、一端を前記メインフレーム４に回動可能に取り付ける一方、他端を背部基部フレーム６の基端側寄りの箇所に回動可能に取り付けたステー８によって傾斜調節可能に構成し、前記背部基部フレーム６の傾斜動作と共に、前記可動フレーム３を背部基部フレーム６先端側に突出可能に構成している。
【０００９】
前記可動フレーム３は、前記背部基部フレーム６側に設けたローラ９，９を介して背部基部フレーム６に沿って移動自在に支持されている（図２参照）。また前記可動フレーム３と背部基部フレーム６先端部との間には、可動フレーム３を背部基部フレーム６基端側に常時引き込むように付勢する引張ばね１０を配設している。なお、この引張ばね１０は、後述するが常に背部基部フレーム６の傾斜度合いに応じた可動フレーム３の移動量をもたらし、また前記可動フレーム３とメインフレーム４間に張設した線状部材（後述）の張設状態を維持するための機能も有している。
前記可動フレーム３上には、図中、左端側から、３つの背ボトム２を所定間隔ごとに取り付けている。なお、図示は省略しているが、前記背ボトム２のうち、中央寄りの背ボトム２と、腰から臀部を支える腰ボトム（図示省略）との間に、例えば適度な曲率で曲がるように構成した湾曲ボトムを載置することができる。
【００１０】
前記メインフレーム４には、ベッド頭側端部近傍にある横パイプ１１に、前記直動駆動機構７を構成するモータ７ａを、取付金具１２を介して揺動可能に取り付けている。また、前記横パイプ１１には、前記ステー８の一端を回動可能に取り付けている（図３参照）。
【００１１】
前記背部基部フレーム６は、基端側に基部ローラ１３を取り付けており、この基部ローラ１３を介して基端側を前記案内枠５に沿って移動可能に保持している。なお、案内枠５は、メインフレーム４のベッド中央寄りのベッド幅方向に対向する内側面に設けている。
また背部基部フレーム６の基端側寄りの箇所に設けた背枠横パイプ１４にアクチュエータ受１５を固設して、このアクチュエータ受１５に、前記直動駆動機構７を構成する直動軸７ｂを連結している（図１参照）。この場合、前記アクチュエータ受１５は、直動軸７ｂを取り付ける先端側を、直動軸７ｂから遠ざかる方向に傾斜させている。
そして、前記背部基部フレーム６の背枠横パイプ１４近傍に、前記ステー８の他端側を回動可能に取り付けている。
なお、前記背部基部フレーム６が平坦な状態にあるときは、前記直動駆動機構７を構成する直動軸７ｂは、最大に伸長した状態にある（図１参照）。
【００１２】
そして前記可動フレーム３の基端側と前記メインフレーム４との間には、前記背部基部フレーム６に設けた案内プーリ１６を介して線状部材１７を張設している。この場合、線状部材１７は、ワイヤを用いることができ、一端側を前記可動フレーム３の基端側に連結し、他端側をメインフレーム４のベッド頭側端部近傍の横パイプ１１におけるステー８の一端の取付箇所に連結している。
かかる線状部材１７は、可動フレーム３と背部基部フレーム６先端部との間に配設した引張ばね１０により、張設状態を維持している。
【００１３】
以上のような構成のベッド装置における背上げ機構１において、背ボトム２を取り付けた可動フレーム３と背部基部フレーム６とが平坦状態にあるとき、背上げ動作するべく直動駆動機構７の直動軸７ｂを引き込み動作させると、アクチュエータ受１５は、直動軸７ｂを取り付ける先端側を、直動軸７ｂから遠ざかる方向に傾斜した状態で固設してあるので、背部基部フレーム６に対し、図中時計回りの回動力と、左方側への変位力を与える。
一方、前記背部基部フレーム６は、背部基部フレーム６のアクチュエータ受１５近傍に連結したステー８の他端側により、図中、右方への反力がかかり、これによって、背部基部フレーム６は傾斜動作が促され、基端側の基部ローラ１３を介し、案内枠５に沿ってベッド頭側に向かって移動しつつ、背部基部フレーム６を傾斜させることができる（図３参照）。
【００１４】
背部基部フレーム６が傾斜していくと、背部基部フレーム６中間の案内プーリ１６はメインフレーム４から離隔していく。すなわち前記案内プーリ１６の位置が上昇することで、所定長さの線状部材１７は中間箇所が案内プーリ１６から上方向への引っ張り力を受け、この引っ張り力によって、線状部材１７の連結箇所である可動フレーム３の基端側を介し、可動側である可動フレーム３を、背部基部フレーム６側に設けたローラ９，９を介して背部基部フレーム６に沿って背部基部フレーム６先端側に移動させることができる。
このとき、可動フレーム３は、可動フレーム３と背部基部フレーム６先端部との間に配した引張ばね１０の付勢力に抗して背部基部フレーム６先端側に移動する。
以上のようにして、背部基部フレーム６が傾斜していくことで背ボトム２を配置した可動フレーム３が背部基部フレーム６上を背部基部フレーム６先端側に突出していき、背上げに伴って背ボトム２を支える可動フレーム３が先端側へずれていくことで、使用者の背中にかかる圧迫力を生じさせないようにすることができる。
前記背部基部フレーム６の最大傾斜時には、前記可動フレーム３は背部基部フレーム６上を背部基部フレーム６先端側に最大限に突出し、また、背部基部フレーム６の基端側が案内枠５に沿ってベッド頭側に寄った状態となるので、腰部周辺は余裕あるスペースが確保され、快適な使用心地がもたらされる（図４参照）。
【００１５】
そして、かかる背上げ状態から背ボトム２を支持する可動フレーム３と背部基部フレーム６とを倒伏していくと、今度は、背部基部フレーム６は基端側の基部ローラ１３は、案内枠５に沿って腰ボトム側に復帰移動していき、可動フレーム３は引張ばね１０の付勢力によって背部基部フレーム６基端側に移動していき、前記線状体１７が弛むことなく張設状態を維持しながら、平坦な状態に復帰するのである（図１参照）。
【００１６】
【発明の効果】
本発明によれば、背ボトムの傾斜と共に、背ボトムをベッド頭側にずらすようにして、背ボトムの傾斜時における屈曲箇所の空間を確保する機構に加え、背上げ時に背ボトムが背ボトム長手方向に変位させるようにする機構を組合せることで、背上げによるずれ、圧迫を最小限にとどめることができる。
【００１７】
【図面の簡単な説明】
【図１】本発明にかかるベッド装置における背上げ機構を適用した、背ボトムを支える可動フレームと背部基部フレームとが平坦状態にある、側面説明図である。
【図２】背ボトムを支える可動フレームと背部基部フレームとの配置構成を示した、要部側面説明図である。
【図３】図１に示すベッド装置における背上げ機構の作用を示した、側面説明図である。
【図４】図１に示すベッド装置における背上げ機構を作動させて、背ボトムを最大角度まで傾斜させたところを示した、側面説明図である。
【符号の説明】
１                        背上げ機構
２                        背ボトム
３                        可動フレーム
４                        メインフレーム
５                        案内枠
６                        背部基部フレーム
７                        直動駆動機構
７ａ                      モータ
７ｂ                      直動軸
８                        ステー
９                        ローラ
１０                      引張ばね
１１                      横パイプ
１２                      取付金具
１３                      基部ローラ
１４                      背枠横パイプ
１５                      アクチュエータ受
１６                      案内プーリ
１７                      線状部材
【図１】
2004208795.tif 000003
【図２】
2004208795.tif 000004
【図３】
2004208795.tif 000005
【図４】
2004208795.tif 000006